(57)【要約】      （修正有）【課題】樹脂形材により形成された樹脂サッシの断熱性能をより高めた建具を提供する。【解決手段】複数の中空部を有する樹脂製の形材からなる上枠、下枠、左右の竪枠は、断面形状が同じ枠材であり、端部を４５度の角度で切断して、端部同士を当接させて溶接することで四周にわたる枠体を形成している。各枠材の室内側及び内周側に固定され、合成樹脂材料よりなる上ケース体５１、下ケース体５２、竪ケース体５３は、それぞれ複数の断熱材の収容空間Ｓ１、Ｓ２を有し、一方の収容空間Ｓ１に、真空断熱材６１１ａ、６２１ａ、６３１ａを配置され、他方の収容空間Ｓ２に、非真空断熱材６１１ｂ、６２１ｂ、６３１ｂが配置されている。【選択図】図３
2020133176.tif 000002
【特許請求の範囲】
【請求項１】
中空部を有する樹脂製の形材を有しており、
形材の少なくとも一つの中空部内に、真空断熱材と非真空断熱材が配置されている
建具。
【発明の詳細な説明】
【技術分野】
【０００１】
本発明は、建物開口部に配置される建具に関する。
【背景技術】
【０００２】
合成樹脂により枠および障子を形成した建具が知られている。
【先行技術文献】
【特許文献】
【０００３】
【特許文献１】特開２０００−１９２７３４号公報
【発明の概要】
【発明が解決しようとする課題】
【０００４】
上記特許文献１に記載された建具のように、樹脂形材により形成された樹脂サッシは断熱性能に優れている。
近年、サッシにおいて、さらに高い断熱性能が求められている。
【０００５】
本発明は、サッシにおいて、さらに高い断熱性能を付与することを目的とする。
【課題を解決するための手段】
【０００６】
本発明の一実施形態は、中空部を有する樹脂製の形材を有しており、形材の少なくとも一つの中空部内に、真空断熱材と非真空断熱材が配置されている建具である。
【発明の効果】
【０００７】
本実施形態の断熱建具の構成により、さらに高い断熱性能を付与することができる。
【図面の簡単な説明】
【０００８】
【図１】本発明の第１の実施形態に係る建具の竪断面図（図３のＤ−Ｄ断面）である。
【図２】本発明の第１の実施形態に係る建具の横断面図（図３のＥ−Ｅ断面）である。
【図３】本発明の第１の実施形態に係る建具の断熱材の配置を示す内観図である。
【図４】本発明の第２の実施形態に係る建具の竪断面図（図６のＦ−Ｆ断面）である。
【図５】本発明の第２の実施形態に係る建具の横断面図（図６のＧ−Ｇ断面）である。
【図６】本発明の第２の実施形態に係る建具の断熱材の配置を示す内観図である。
【図７】本発明の第３の実施形態に係る建具の竪断面図（図９のＤ’−Ｄ’断面）である。
【図８】本発明の第３の実施形態に係る建具の横断面図（図９のＥ’−Ｅ’断面）である。
【図９】本発明の第３の実施形態に係る建具の断熱材の配置を示す内観図である。
【図１０】本発明の第３の実施形態に係る建具の断熱材の配置を示す一部拡大内観図であり、（ａ）は、左上隅部の拡大図、（ｂ）は、右上隅部の拡大図である。
【図１１】本発明の第４の実施形態に係る建具の竪断面図（図１４のＡ−Ａ断面）である。
【図１２】本発明の第４の実施形態に係る建具の竪断面図（図１４のＢ−Ｂ断面）である。
【図１３】本発明の第４の実施形態に係る建具の横断面図（図１４のＣ−Ｃ断面）である。
【図１４】本発明の第４の実施形態に係る建具の断熱材の配置を示す内観図である。
【図１５】本発明の第５の実施形態に係る建具の竪断面図（図１４のＡ’−Ａ’断面）である。
【図１６】本発明の第５の実施形態に係る建具の竪断面図（図１４のＢ’−Ｂ’断面）である。
【図１７】本発明の第５の実施形態に係る建具の横断面図（図１４のＣ’−Ｃ’断面）である。
【図１８】本発明の第５の実施形態に係る建具の断熱材の配置を示す内観図である。
【発明を実施するための形態】
【０００９】
−第１の実施形態−
第１の実施形態は、建具の枠体１の室内側に露出する部位に、内部に断熱材が収容されたケース体を配置することで、断熱性能を向上させた建具であり、図１ないし図３に示す、枠体１の内周に障子２が開閉自在に配置されてなるすべり出し窓である。
【００１０】
枠体１は、合成樹脂材料からなる上枠１１、下枠１２及び左右の竪枠１３，１３を有している。上枠１１、下枠１２及び左右の竪枠１３，１３は断面形状が同じ枠材であり、各枠材の端部が４５度の角度で切断され、端面同士を当接させて溶接することで四周にわたる枠体１が形成されている。
【００１１】
障子２は、合成樹脂材料からなる上框２１、下框２２及び左右の竪框２３，２３を有している。上框２１、下框２２及び左右の竪框２３，２３は断面形状が同じ框材であり、各框材の端部が４５度の角度で切断され、端面同士を当接させて溶接することで四周にわたる框体が形成されている。框体の内周には複層ガラス２５が配置されている。
【００１２】
ケース体は、合成樹脂材料からなる上ケース体５１、下ケース体５２及び左右の竪ケース体５３，５３等がある。上ケース体５１、下ケース体５２及び左右の竪ケース体５３，５３は、断面形状が同じ形材であり、各ケース体５の端部が４５度の角度で切断され、端面同士を当接させるように各枠材の室内側及び内周側に配置されている。
【００１３】
（上枠部分の構成）
枠体１の上枠１１は、図１に示すように、複数の中空部を有する上枠本体部１１１と、上枠本体部１１１の室内側内周面から内周方向に延設される室内側壁部１１２と、上枠本体部１１１の室内側端から室内方向に延びるアングル部１１３を有している。
上枠本体部１１１の一部もしくはすべての中空部内には、真空断熱材等の断熱材６が収容されていてもよい。
室内側壁部１１２の室外側面の内周端には、障子２の上框２１の室内側面に当接する気密材が配置されている。
【００１４】
障子２の上框２１は、複数の中空部を有する上框本体部２１１と、上框本体部２１１の室外側外周面から外周方向に延設される室外側壁部２１２を有しており、上框本体部２１１の室外側内周部分に押縁２１３が取り付けられ、複層ガラス２５の外周を保持するガラス間口２１１ａが形成されている。
【００１５】
室外側壁部２１２の室内側面の外周端には、上枠１１の上枠本体部１１１の室外側面に当接する気密材が配置されている。また、枠体１の上枠本体部１１１の内周面と障子２の上框本体部２１１の外周面との間には、障子２のすべり出し開閉を可能にする開閉アーム等のリンク機構４１が配置されている。
なお、リンク機構４１は、上枠１１および上框２１に対して、裏板４１ｂ、４１ｃを用いてビス止め固定されている。
【００１６】
上枠１１に固定されているケース体５１は、合成樹脂材料からなり、上枠１１のアングル部１１３の内周面に当接される外周壁部５１ａと、外周壁部５１ａの室外側端から下方に延びる外周側室外壁部５１ｂと、外周壁部５１ａの室内側端から下方に延びる室内壁部５１ｃと、室内壁部５１ｃの下端から室外側に延びる内周壁部５１ｄと、内周壁部５１ｄの室外側端から上方に延びる内周側室外壁部５１ｅと、内周側室外壁部５１ｅの上端から室内側に向かって延びる中間壁部５１ｆと、中間壁部５１ｆの外周面から外周方向に突出する立上壁部５１ｇを有している。
【００１７】
そして、上ケース体５１は、中間壁部５１ｆによって断熱材の収容空間が上下に分割されており、内周側に形成される収容空間Ｓ２部分は、外周側に形成される収容空間Ｓ１部分よりも見込み方向の寸法が大きく形成されている。
【００１８】
外周側に形成される収容空間Ｓ１は、外周側室外壁部５１ｂと立上壁部５１ｇとの間に開口部ａが形成されており、収容空間Ｓ１の中には、断熱材６１１が配置されている。また、内周側に形成される収容空間Ｓ２は、開口部が形成されていない中空部として形成されており、収容空間Ｓ２の中には、断熱材６１２が配置されている。
【００１９】
断熱材６１１，６１２を収容した上ケース体５１は、外周壁部５１ａを上枠１１のアングル部１１３の内周面に当接させるとともに、中間壁部５１ｆの室外側外周面を上枠の室内側壁部１１２の内周面に当接させて、開口部ａを上枠１１の室内側面によって閉鎖した状態で、両面テープ等の取付手段によって上枠１１の室内側に露出する部分を覆うように取り付けられている。
上枠１に取り付けられた上ケース体５１は、外周側に形成される収容空間Ｓ１部分によって上枠１１の室内側面を覆い、内周側に形成される収容空間Ｓ２部分によって障子２の上框２１の室内側面を覆っている。
【００２０】
上枠１１に取り付けられた上ケース体５１は、内周端が障子２の上框２１の内周端とほぼ同じ高さ位置となって上框２１の室内側面を覆い、障子２の上框２１の室内側面が室内に露出することを防止している。
そして、内周壁部５１ｄに形成された突片５１ｈが上框２１の室内側下端部分に対して近接もしくは当接することで、上框２１の室内側面とケース体５１の内周側室外壁部５１ｅの室外側面との間に断熱空間Ａを形成している。
【００２１】
以上、本実施形態の建具の上枠部分の構成を説明したが、下枠部分及び左右竪枠部分の構成については、上枠部分とほぼ同様である。
すなわち、下枠１２は、図１に示すように、下枠本体部１２１、室内側壁部１２２及びアングル部１２３を備えており、下框２２は、複数の中空部を有する下框本体部２２１と、下框本体部２２１の室外側外周面から外周方向に延設される室外側壁部２２２を有しており、下框本体部２２１の室外側内周に押縁２２３が取り付けられ、複層ガラス２５の外周を保持するガラス間口２２１ａが形成されている。
【００２２】
枠体１の下枠本体部１２１の内周面と障子２の下框本体部２２１の外周面との間には、障子２のすべり出し開閉を可能にする開閉アーム等のリンク機構４１が配置されている。
【００２３】
下枠１２に取り付けられた下ケース体５２は、外周側に形成される収容空間Ｓ１及び内周側に形成される収容空間Ｓ２にそれぞれ断熱材６２１、６２２を収容しており、内周端が障子２の下框２２の内周端とほぼ同じ高さ位置となって下框２２の室内側面を覆い、障子２の下框２２の室内側面が室内に露出することを防止している。
【００２４】
また、竪枠１３は、図２に示すように、竪枠本体部１３１、室内側壁部１３２及びアングル部１３３を備えており、竪框２３は、複数の中空部を有する竪框本体部２３１と、竪框本体部２３１の室外側外周面から外周方向に延設される室外側壁部２３２を有しており、竪框本体部２３１の室外側内周に押縁２３３が取り付けられ、複層ガラス２５の外周を保持するガラス間口２３１ａが形成されている。
【００２５】
枠体１の竪枠本体部１３１の内周面と障子２の竪框本体部２３１の外周面との間には、障子２の閉鎖状態を補助、維持する引寄せ手段４３もしくはロック機構４４等が配置されている。
【００２６】
竪枠１３に取り付けられた竪ケース体５３は、外周側に形成される収容空間Ｓ１及び内周側に形成される収容空間Ｓ２に断熱材６３１、６３２を収容しており、内周端が障子２の竪框２３の内周端とほぼ同じ位置となって竪框２３の室内側面を覆い、障子２の竪框２３の室内側面が室内に露出することを防止している。
【００２７】
障子２の右の竪框２３にハンドル４６が取り付けられており、右の竪枠１３のケース体５３はハンドル４６の取付部分において一部切り欠かれている。
【００２８】
以上の本実施形態の断熱建具においては、図３に示すように、上、下及び竪のケース体の収容空間Ｓ１，Ｓ２に、複数の断熱材が適宜配置されている。
特に、外周側の収容空間Ｓ１には、同一規格寸法の真空断熱材が複数配置されるとともに、該真空断熱材の間に繊維系断熱材や発泡断熱材等の比較的加工が容易な非真空断熱材が適宜に配置されている。
【００２９】
また、内周側の収容空間Ｓ２には、繊維系断熱材や発泡断熱材等の比較的加工が容易な非真空断熱材が配置されており、障子のハンドル部分において竪ケース体５３が切欠かれており、切欠き部に隣接して前記断熱材が配置されている。
【００３０】
以下、具体的に説明する。
上枠１１及び下枠１２に固定される上ケース体５１及び下ケース体５２の外周側の収容空間Ｓ１には、同一規格寸法の真空断熱材６１１ａ，６２１ａが配置されており、その両端の位置に加工が比較的容易な断熱材（非真空断熱材）６１１ｂ，６２１ｂが配置されている。
収容空間Ｓ１の両端に配置された断熱材６１１ｂ，６２１ｂは、端部が４５度に切断されている。
【００３１】
竪枠１３，１３に固定される竪ケース体５３外周側の収容空間Ｓ１には、同一規格寸法の真空断熱材６３１ａが複数配置されており、その両端には、切断等の加工が比較的容易な断熱材（非真空断熱材）６３１ｂが配置されている。
収容空間Ｓ１の両端に配置された断熱材６３１ｂ，６３１ｂは、端部が４５度に切断されている。
【００３２】
そして、真空断熱材６３１ａ，６３１ａの間には、竪ケース体５３の長さ寸法と真空断熱材６３１ａの長さ寸法との差を補間する切断等の加工が比較的容易な挟持断熱材（非真空断熱材）６３１ｃが配置されている。
【００３３】
すなわち、上下、竪枠に固定される上、下及び竪のケース体の外周側の収容空間Ｓ１に配置される複数の真空断熱材６１１ａ，６２１ａ，６３１ａは、その長さ寸法が等しい同一規格寸法の真空断熱材が用いられており、各ケース体５１，５２，５３の長さ寸法と同一規格寸法の真空断熱材６１１ａ，６２１ａ，６３１ａとの寸法差等によって生じる隙間や隅部を切断等の加工が比較的容易な非真空断熱材６１１ｂ，６２１ｂ，６３１ｂ，６３１ｃによって補間している。これによって、ケース体の外周側の収容空間Ｓ１の全領域に亘って断熱材が配置されることなる。    
なお、上記隙間を補間する部材は、弾性スペーサ等の部材によって行ってもよい。
【００３４】
一方、上枠１１及び下枠１２に固定される上ケース体５１及び下ケース体５２、左右の竪枠１３，１３に固定される竪ケース体５３，５３の内周側の収容空間Ｓ２には、切断等の加工が比較的容易な断熱材（非真空断熱材）６１２ｂ，６２２ｂ，６３２ｂ，６３２ｂが配置されており、両端部が４５度に切断されている。
【００３５】
そして、右竪枠１３に固定された竪ケース体５３の内周側の収容空間Ｓ２は、ハンドル４６の取付部分において一部切り欠かれており、切り欠き部分によって上下に分割された収容空間Ｓ２にそれぞれ断熱材（非真空断熱材）６３２ｂ，６３２ｂが配置されている。
【００３６】
−第２の実施形態−
第２の実施形態は、建具の枠体１の室内側に露出する部位に、内部に断熱材が収容されたケース体を配置することで、断熱性能を向上させた建具であり、図４及び図６に示す、枠体１の内周に障子２が開閉自在に配置されてなるすべり出し窓である。
以下、具体的に説明するが、第２の実施形態の枠体１及び障子２の基本的な構成については、第１の実施形態の枠体１及び障子２と同様であり、ケース体の構成についてのみ第１の実施形態と異なっているので、以下では、主に枠材に取り付けられるケース体及びその収容空間に配置される断熱材についての説明を行い、同じ部分については一部省略して説明する。
【００３７】
上枠１１に取り付けられる上ケース体５１は、合成樹脂材料からなり、図４に示すように、上枠１１のアングル部１１３の内周面に当接される外周壁部５１ａと、外周壁部５１ａの室外側端から下方に延びる外周側室外壁部５１ｂと、外周壁部５１ａの室内側端から下方に延びて下方部分が室外側に傾斜する傾斜面として形成されている室内壁部５１ｃと、室内壁部５１ｃの下端から室外側に延びる内周壁部５１ｄと、内周壁部５１ｄの室外側端から上方に延びる内周側室外壁部５１ｅと、内周側室外壁部５１ｅの上端から室内側に向かって延びる固定壁部５１ｉを有し、全体として断熱材６１１を収容する収容空間Ｓを形成している。
【００３８】
そして、上ケース体５１は、外周側室外壁部５１ｂと固定壁部５１ｉとの間に収容空間Ｓに連続する開口部ａが形成されており、開口部ａを介して断熱材６１１を収容することができる。
【００３９】
以上、ケース体による断熱構造について上枠部分を用いて説明したが、図４，５に見られるように、下枠部分及び左右竪枠部分における断熱構造も上枠部分と同様であるので、ここではその説明を省略する。
【００４０】
以上の本実施形態の断熱建具においては、図６に示すように、上、下及び竪のケース体の収容空間Ｓには、真空断熱材が複数配置されるとともに、該真空断熱材の間に繊維系断熱材や発泡断熱材等の比較的加工が容易な非真空断熱材が適宜に配置されている。
また、収容空間Ｓのハンドル取付位置については、竪ケース体５３が一部切欠かれ、切欠かれた部分に隣接して繊維系断熱材や発泡断熱材等の比較的加工が容易な非真空断熱材が適宜に配置されている。
【００４１】
以下、具体的に説明する。
上枠１１及び下枠１２に固定される上ケース体５１及び下ケース体５２の収容空間Ｓには、所定寸法の真空断熱材６１１ａ，６２１ａが配置されており、その両端の位置に加工が比較的容易な断熱材（非真空断熱材）６１１ｂ，６２１ｂが配置されている。
収容空間Ｓ１の両端に配置された断熱材６１１ｂ，６２１ｂは、端部が４５度に切断されている。
そして、上、下ケース体５１，５２の長さ寸法と真空断熱材６１１ａ，６２１ａの長さ寸法との差を補間する挟持断熱材（非真空断熱材）６１１ｃ，６２１ｃが配置されている。
【００４２】
竪枠１３，１３に固定される竪ケース体５３の収容空間Ｓには、所定寸法の真空断熱材６３１ａが複数配置されており、その両端の位置に切断等の加工が比較的容易な断熱材（非真空断熱材）６３１ｂ，６３１ｂが配置されている。
収容空間Ｓ１の両端に配置された断熱材６３１ｂ，６３１ｂは、端部が４５度に切断されている。
そして、竪ケース体５３，５３の長さ寸法と複数の真空断熱材６３１ａ，６３１ａの長さ寸法との差を補間する挟持断熱材（非真空断熱材）６３１ｃ，６３１ｃが配置されている。
【００４３】
さらに、右竪枠１３に固定された竪ケース体５３の収容空間Ｓは、ハンドル４６の取付部分において一部切り欠かれており、切り欠き部分の外周側に隣接して繊維系断熱材や発泡断熱材等の比較的加工が容易な断熱材（非真空断熱材）６３１ｄが配置されている。
【００４４】
以上のように、上下、竪枠に固定される上下、竪のケース体５の外周側の収容空間Ｓ１に配置される複数の真空断熱材とケース体５の長さ寸法との寸法差等によって生じる隙間は、切断等の加工が比較的容易な非真空断熱材によって補間しており、ケース体の収容空間Ｓの全領域に亘って断熱材が配置されている。
【００４５】
−第３の実施形態−
第３の実施形態は、建具の枠体１の中空部内に断熱材を配置することで、断熱性能を向上させた建具であり、図７ないし図１０に示す、枠体１の内周に障子２が開閉自在に配置されてなるすべり出し窓である。
以下、具体的に説明するが、第３の実施形態の枠体１及び障子２の基本的な構成については、第１の実施形態の枠体１及び障子２と同様なので、同じ部分については一部省略して説明する。
【００４６】
枠体１の上枠１１は、図７に示すように、複数の中空部を有する上枠本体部１１１と、上枠本体部１１１の室内側内周面から内周方向に延設される室内側壁部１１２と、上枠本体部１１１の室内側端から室内方向に延びるアングル部１１３を有しており、上枠本体部１１１の中空部Ｓ１１内には、複数の断熱材６１ａ，６１ｂが収容されている。
【００４７】
枠体１の上枠本体部１１１の内周面と障子２の上框本体部２１１の外周面との間には、障子２のすべり出し開閉を可能にする開閉アーム等のリンク機構４１が配置されており、リンク機構４１は、上枠１１および上框２１に対して、裏板等を用いてビス止め固定されている。
【００４８】
同様に、下枠１２の下枠本体部１２１の中空部Ｓ１２内には、複数の断熱材６２ａ，６２ｂが配置されており、枠体１の下枠本体部１２１の内周面と障子２の下框本体部２２１の外周面との間には、障子２のすべり出し開閉を可能にする開閉アーム等のリンク機構４１が配置されており、リンク機構４１は、下枠１２および障子２の下框２２に対して、裏板等を用いてビス止め固定されている。
【００４９】
また、図８に示すように、左右の竪枠１３の竪枠本体部１３１の中空部Ｓ１３内には、複数の断熱材６３ａ，６３ｂが配置されており、左の竪枠１３の竪枠本体部１３１の内周面と障子２の左の竪框２３の竪框本体部２３１の外周面との間には、障子２の閉鎖状態を補助、維持する引寄せ手段４３が配置され、右の竪枠１３の竪枠本体部１３１の内周面と障子２の右の竪框２３の竪框本体部２３１の外周面との間には、ロック機構４４等が配置されている。
なお、引寄せ手段４３及びロック機構４４は、左右の竪枠１３に対して裏板等を用いてビス止め固定されている。
【００５０】
以上の第３の実施形態の建具においては、上枠１１、下枠１２及び竪枠１３の中空部Ｓ１１，Ｓ１２，Ｓ１３に、真空断熱材及び繊維系断熱材や発泡断熱材等の比較的加工が容易な非真空断熱材が適宜配置されている。
【００５１】
以下、具体的に説明する。
上枠１１及び下枠１２の中空部Ｓ１１，Ｓ１２には、図９，図１０に示すように、長手方向に沿って真空断熱材６１ａ，６２ａが配置されており、該枠材の中空部Ｓ１１，Ｓ１２のうち、開閉アーム等のリンク機構４１が固定される領域においては、図１０（ａ）に示すように、外周側に真空断熱材６１ａ（６２ａ）が配置されるとともに、ネジ等の固定手段が用いられる内周側に加工が比較的容易でネジ等による破損が少ない断熱材（非真空断熱材）６１ｂ（６２ｂ）が配置されている。
【００５２】
また、本実施形態においては、上枠１１及び下枠１２の中空部Ｓ１１，Ｓ１２の真空断熱材６１ａ，６２ａのみが配置される領域と、真空断熱材６１ａ，６２ａと断熱材６１ｂ，６２ｂが積層されて配置される領域との間に、加工が比較的容易な挟持断熱材（非真空断熱材）６１ｃ，６２ｃがさらに配置されている。
【００５３】
左の竪枠１３の中空部Ｓ１３には、長手方向に沿って複数（本実施形態では２つ）の真空断熱材６３ａ，６３ａが配置されている。
竪枠１３の中空部Ｓ１３の長手（上下）方向中間位置の引寄せ手段４３等の部材が取り付けられる領域には、加工が比較的容易な挟持断熱材（非真空断熱材）６３ｂが上下の真空断熱材６３ａ，６３ａに挟まれて配置されている。
【００５４】
右の竪枠１３の中空部Ｓ１３の長手方向の中央領域には、真空断熱材６３ａが配置されており、竪枠１３の中空部Ｓ１３の上下位置のロック機構４４，４４等の部材が取り付けられる領域には、図１０（ｂ）に示すように、外周側に真空断熱材６３ａが配置されるとともに内周側に加工が比較的容易な断熱材（非真空断熱材）６３ｂが配置されている。
【００５５】
また、本実施形態においては、右の竪枠１３の中空部Ｓ１３の真空断熱材６３ａのみが配置される中央の領域と、真空断熱材６３ａと加工が比較的容易な断熱材６３ｂが積層されて配置される上下の領域との間に、加工が比較的容易な挟持断熱材（非真空断熱材）６３ｃがさらに配置されている。
【００５６】
−第４の実施形態−
第４の実施形態は、建具の枠体１の室内側に露出する部位に、内部に断熱材が収容されたケース体を配置することで、断熱性能を向上させた建具であり、図１１ないし図１４に示す、枠体１の内周にＦＩＸ窓及びすべり出し窓が隣接して設けられた連窓である。
以下、説明するが、第４の実施形態の枠体１及び障子２の基本的な構成については、前記第１ないし第３の実施形態の枠体１及び障子２と同様なので、同じ部分については一部省略して説明する。
【００５７】
枠体１は、合成樹脂材料からなる上枠１１、下枠１２、左右の竪枠１３，１３及び方立１４を有している。上枠１１、下枠１２及び左右の竪枠１３，１３は断面形状が同じ枠材であり、各枠材の端部が４５度の角度で切断され、端面同士を当接させて溶接することで四隅が形成されている。
【００５８】
上枠１１及び下枠１２の見付（左右）方向の中央付近には、略Ｖ字状の切れ込み１１ａ，１２ａが形成されるとともに（図１８）、方立１４の上下端の左右両側が４５度の角度で切断され、該切れ込みに対して方立１４の上下端部を当接させて溶着することで、上枠１１と下枠１２との間に方立１４が固定されている。
【００５９】
枠体１の左側は、上枠１１，下枠１２，左の竪枠１３及び方立１４によって開閉窓の枠体が形成されており、すべり出し窓の障子２が配置されている。また、枠体１の右側は、上枠１１，下枠１２，方立１４及び右の竪枠１３によってＦＩＸ窓の枠体が形成されており、該枠体の内周に複層ガラス等のパネル体２６が嵌め込まれている。
【００６０】
ケース体は、それぞれ合成樹脂材料からなり、上枠１１のすべり出し窓の領域の室内側を覆う左上ケース体５１１と、上枠１１のＦＩＸ窓の領域の室内側を覆う右上ケース体５１２と、下枠１２のすべり出し窓の領域の室内側を覆う左下ケース体５２１と、下枠１２のＦＩＸ窓の領域の室内側を覆う右下ケース体５２２と、左の竪枠１３の室内側を覆う左ケース体５３１と、右の竪枠１３の室内側を覆う右ケース体５３２と、方立１４の室内側を覆う中央ケース体５４がある。
各ケース体５の端面は、４５度の角度で適宜切断されており、各ケース体５の切断部分を当接して適宜接続されている。
【００６１】
上枠１１のすべり出し窓の領域の室内側を覆う左上ケース体５１１と、下枠１２のすべり出し窓の領域の室内側を覆う左下ケース体５２１と、左の竪枠１３の室内側を覆う左ケース体５３１は、第１の実施形態の建具の上ケース体５１、下ケース体５２及び竪ケース体５３と同様の構成をしており、外周側の収容空間Ｓ１には、それぞれ断熱材６１１，６２１，６３１が収容されており、内周側の収容空間Ｓ２には、それぞれ断熱材６１２，６２２，６３２が配置されている。
【００６２】
また、上枠１１のＦＩＸ窓の領域の室内側を覆う右上ケース体５１２と、下枠１２のＦＩＸ窓の領域の室内側を覆う右下ケース体５２２と、右の竪枠１３の室内側を覆う右ケース体５３２は、第１の実施形態の建具の上ケース体５１、下ケース体５２及び竪ケース体５３と比べて内周側の収容空間Ｓ２を有さない構成をしており、外周側の収容空間Ｓ１には、それぞれ断熱材６１１，６２１，６３１が配置されている。
【００６３】
方立１４の室内側を覆う中央ケース体５４は、方立１４部分の室内側面を覆う収容空間Ｓ４１と、すべり出し窓の右の竪框２３の室内側面を覆う収容空間Ｓ４２を有しており、収容空間Ｓ４１及び収容空間Ｓ４２には、それぞれ断熱材６４１，６４２が配置されている。
【００６４】
そして、図１４に示すように、各ケース体の収容空間に配置される断熱材として、真空断熱材および繊維系断熱材や発泡断熱材等の比較的加工が容易な非真空断熱材が適宜に配置されている。
以下、具体的に説明する。
【００６５】
上枠１１のすべり出し窓の領域の室内側を覆う左上ケース体５１１と下枠１２のすべり出し窓の領域の室内側を覆う左下ケース体５２１の外周側の収容空間Ｓ１には、真空断熱材６１１ａ，６２１ａが配置されるとともに、該真空断熱材６１１ａ，６２１ａの両端には、繊維系断熱材や発泡断熱材等の比較的加工が容易な断熱材（非真空断熱材）６１１ｂ，６２１ｂが適宜に配置されている。
【００６６】
また、左の竪枠１３の室内側を覆う左ケース体５３１の外周側の収容空間Ｓ１には、複数の真空断熱材６３１ａ，６３１ａが配置されるとともに、該真空断熱材６３１ａ，６３１ａの両端及び間に、繊維系断熱材や発泡断熱材等の比較的加工が容易な断熱材（非真空断熱材）６３１ｂ，６３１ｃが適宜に配置されている。
【００６７】
そして、左上ケース体５１１と、左下ケース体５２１と、左ケース体５３１の内周側の収容空間Ｓ２には、繊維系断熱材や発泡断熱材等の比較的加工が容易な断熱材（非真空断熱材）６１２ｂ，６２２ｂ，６３２ｂが配置されている。
【００６８】
上枠１１のＦＩＸ窓の領域の室内側を覆う右上ケース体５１２と、下枠１２のＦＩＸ窓の領域の室内側を覆う右下ケース体５２２と、右の竪枠１３の室内側を覆う右ケース体５３２の収容空間Ｓ１には、それぞれ複数の真空断熱材６１１ａ，６２１ａ，６３１ａが配置されるとともに、該真空断熱材６１１ａ，６２１ａ，６３１ａの両端及び間に、繊維系断熱材や発泡断熱材等の比較的加工が容易な断熱材（非真空断熱材）６１１ｂ，６２１ｂ，６３１ｂ，６１１ｃ，６２１ｃ，６３１ｃが適宜に配置されている。
【００６９】
方立１４の室内側を覆う中央ケース体５４の方立１４部分の室内側面を覆う収容空間Ｓ４１には、複数の真空断熱材６４１ａが配置されるとともに、該真空断熱材６４１ａの両端及び間に、繊維系断熱材や発泡断熱材等の比較的加工が容易な断熱材（非真空断熱材）６４１ｂ、６４１ｃが適宜に配置されている。
【００７０】
方立１４の室内側を覆う中央ケース体５４のすべり出し窓の右竪框２３の室内側面を覆う収容空間Ｓ４２は、ハンドル４６の取付位置において切り欠き部が形成されており、切り欠き部の上下部分には、それぞれ真空断熱材６４２ａが配置されるとともに、真空断熱材６４２ａの上下方向外周に比較的加工が容易な断熱材（非真空断熱材）６４２ｂ，６４２ｃが適宜に配置されている。
【００７１】
なお、方立１４に形成される収容空間Ｓ４１，Ｓ４２は、同一の幅寸法を有しているので、収容する真空断熱材６４１ａ，６４２ａについて、幅寸法の等しい同一の断熱材を収容することができ、部品管理が容易であるとともに、コスト的にも良好である。
【００７２】
−第５の実施形態−
第５の実施形態は、建具の枠体１の中空部内に、断熱材を配置することで、断熱性能を向上させた建具であり、図１５ないし図１８に示す、枠体１の内周にＦＩＸ窓及びすべり出し窓が隣接して設けられた連窓である。
以下、具体的に説明するが、第５の実施形態の枠体１及び障子２の基本的な構成については、前記第１ないし第４の実施形態の枠体１及び障子２と同様なので、同じ部分については一部省略して説明する。
【００７３】
枠体１は、合成樹脂材料からなる上枠１１、下枠１２、左右の竪枠１３，１３及び方立１４を有している。上枠１１、下枠１２及び左右の竪枠１３，１３は断面形状が同じ枠材であり、各枠材の端部が４５度の角度で切断され、端面同士を当接させて溶接することで四隅が形成されている。
【００７４】
上枠１１及び下枠１２の見付（左右）方向の中央付近には、図１８に示すように、略Ｖ字状の切れ込み１１ａ，１２ａが形成されるとともに、方立１４の上下端の左右両側が４５度の角度で切断され、該切れ込みに対して方立１４の上下端部を当接させて溶着することで、上枠１１と下枠１２との間に方立１４が固定されている。
【００７５】
枠体１の左側は、上枠１１，下枠１２，左の竪枠１３及び方立１４によって開閉窓の枠体が形成されており、すべり出し窓の障子２が配置されている。また、枠体１の右側は、上枠１１，下枠１２，方立１４及び右の竪枠１３によってＦＩＸ窓の枠体が形成されており、該枠体の内周に複層ガラス等のパネル体２６が嵌め込まれている。
【００７６】
枠体１の上枠１１は、図１５，図１６に示すように、複数の中空部を有する上枠本体部１１１を有しており、上枠本体部１１１の中空部Ｓ１１内には、適宜、断熱材６１ａ，６１ｂが収容されている。
【００７７】
そして、図１５に示すように、上枠１１の上枠本体部１１１の内周面と障子２の上框本体部２１１の外周面との間に、すべり出し窓の障子２を開閉自在に支持する開閉アーム等のリンク機構４１が配置されており、リンク機構４１は、上枠１１および上框２１に対して、裏板等を用いてビス止め固定されている。
【００７８】
同様に、下枠１２の下枠本体部１２１の中空部Ｓ１２内には、適宜、断熱材６２ａ，６２ｂが配置されており、下枠の下枠本体部１２１の内周面と障子２の下框本体部２２１の外周面との間に、すべり出し窓の障子２を開閉自在に支持する開閉アーム等のリンク機構４１が配置されており、リンク機構４１は、下枠１２および下框２２に対して、裏板等を用いてビス止め固定されている。
【００７９】
また、図１７に示すように、枠体１の左右の竪枠１３，１３の竪枠本体部１３１の中空部Ｓ１３内には、適宜、断熱材６３ａ，６３ｂが配置されており、左の竪枠１３の竪枠本体部１３１の内周面と障子２の左の竪框２３の竪框本体部２３１の外周面との間には、障子２の閉鎖を補助する引寄せ手段４３が配置され、方立１４のすべり出し窓側の面と障子２の右の竪框２３の外周面との間には、ロック機構４４等が配置されている。
なお、引寄せ手段４３及びロック機構４４は、左右の竪枠１３に対して裏板等を用いてビス止め固定されている。
【００８０】
以上の第５の実施形態の建具においては、図１８に示すように、上枠１１、下枠１２及び竪枠１３の中空部Ｓ１１，Ｓ１２，Ｓ１３に、真空断熱材及び繊維系断熱材や発泡断熱材等の比較的加工が容易な非真空断熱材が適宜配置されている。
以下、さらに具体的に説明する。
【００８１】
上枠１１及び下枠１２のすべり出し窓が配置される領域の中空部Ｓ１１，Ｓ１２には、長手方向に沿って真空断熱材６１ａ，６２ａが配置されるとともに、該領域のうち開閉アーム等のリンク機構４１等の部材を枠材にネジ止め固定等する領域においては、外周側の真空断熱材６１ａ，６２ａと内周側の加工が比較的容易な断熱材（非真空断熱材）６１ｂ，６２ｂが積層されて配置されている。
【００８２】
上枠１１及び下枠１２の中空部Ｓ１１，Ｓ１２の真空断熱材６１ａ，６２ａのみが配置される領域と、真空断熱材６１ａと断熱材（非真空断熱材）６１ｂ，６２ｂが積層されて配置される領域との間に、加工が比較的容易な挟持断熱材（非真空断熱材）６１ｃ，６２ｃが配置されている。なお、上記の構成については、第３の実施形態と同様である。
【００８３】
また、左の竪枠１３の中空部Ｓ１３には、長手方向に沿って複数（本実施形態では２つ）の真空断熱材６３ａ，６３ａが配置されている。
そして、竪枠１３の長手（上下）方向中間位置には、引寄せ手段４３が配置されており、中空部Ｓ１３の該引寄せ手段４３が取り付けられる領域には、加工が比較的容易な断熱材（非真空断熱材）６３ｂが上下の真空断熱材６３ａ，６３ａに挟まれて配置されている。
【００８４】
一方、上枠１１及び下枠１２のＦＩＸ窓が配置される領域の中空部Ｓ１１，Ｓ１２には、長手方向に沿って真空断熱材６１ａ，６２ａが配置されている。
【００８５】
また、右の竪枠１３の中空部Ｓ１３には、長手方向の中央領域に真空断熱材６３ａが配置されており、右の竪枠１３の中空部Ｓ１３のうちガラス外れ止め４５，４５等が固定される領域においては、外周側の真空断熱材６３ａ，６３ａと内周側に加工が比較的容易な断熱材（非真空断熱材）６３ｂ，６３ｂが積層されて配置されている。
【００８６】
そして、右の竪枠１３の中空部Ｓ１３の真空断熱材６３ａのみが配置される中央の領域と、真空断熱材６３ａと断熱材６３ｂが積層されて配置される領域との間に、加工が比較的容易な挟持断熱材（非真空断熱材）６３ｃが配置されている。
【００８７】
以上のように、上記実施形態の断熱建具においては、建具を構成する枠体の中空部内もしくは枠体の室内側面に取り付けられるケース体に真空断熱材を配置することで、建具の断熱性能を高めることができる。
【００８８】
そして、枠体もしくはケース体内に配置する真空断熱材を同一規格寸法の真空断熱材とすることで、部品管理を容易にし、製造コストを引き下げることができるとともに、真空断熱材と枠体もしくはケース体との寸法差によって生じる隙間を加工が容易な断熱材（非真空断熱材）によって埋めることで、また、枠材の隅の接合部分等の形状が複雑な部分を加工が容易な断熱材（非真空断熱材）によって埋めることで、枠体の全域に断熱材を配置することができ、断熱性能を高めることができる。
【００８９】
また、枠材に対して、開閉アーム等のリンク機構等を取り付ける領域においては、中空部内のリンク機構が取り付けられる側には加工が容易でネジ等の当接等が影響しない断熱材（非真空断熱材）を配置し、取り付ける側から遠い領域に真空断熱材を配置することで、断熱性能の向上を図りながら、ネジ止め等の取付作業による真空断熱材の破損を防止することができ、施工性を高めることができる。
【００９０】
なお、本実施形態で用いられる加工が容易な断熱材は、切断等の加工ができればよく、例えば発泡プラスチック系断熱材等の真空断熱材ではない非真空断熱材であればどのような断熱材であってもよい。
また、断熱材が配置される枠体やケース体の材料、形状は、限定されるものではなく、断熱材が配置される部位についても何ら限定されない。また、建具の種類についても何ら限定されない。
【００９１】
なお、以上の実施形態は，請求項に記載された発明を限定するものではなく，例示として取り扱われることは言うまでもない。
【符号の説明】
【００９２】
１１        ：上枠
１２        ：下枠
１３        ：竪枠
５１        ：上ケース体
５２        ：下ケース体
５３        ：竪ケース体
６１１ａ，６２１ａ，６３１ａ：真空断熱材
６１１ｂ，６２１ｂ，６３１ｂ：（非真空）断熱材
６１２ｂ，６２２ｂ，６３２ｂ：（非真空）断熱材
６３１ｃ    ：（非真空）断熱材
【図１】
2020133176.tif 000003
【図２】
2020133176.tif 000004
【図３】
2020133176.tif 000005
【図４】
2020133176.tif 000006
【図５】
2020133176.tif 000007
【図６】
2020133176.tif 000008
【図７】
2020133176.tif 000009
【図８】
2020133176.tif 000010
【図９】
2020133176.tif 000011
【図１０】
2020133176.tif 000012
【図１１】
2020133176.tif 000013
【図１２】
2020133176.tif 000014
【図１３】
2020133176.tif 000015
【図１４】
2020133176.tif 000016
【図１５】
2020133176.tif 000017
【図１６】
2020133176.tif 000018
【図１７】
2020133176.tif 000019
【図１８】
2020133176.tif 000020